(57)【要約】【課題】ＣＡＶ駆動によるＣＬＶディスクフォーマットを光ディスク原盤あるいは光ディスクメデイア上に形成するための理想的な基本クロック列（仮想ＣＬＶＣＬＫ）を導入し、比較的安定した駆動状態を実現し易いＣＡＶ駆動状態で、光ディスクの情報トラック上に、線密度一定（ＣＬＶディスクフォーマット）な多値情報の記録／再生を行うことを可能にする。【解決手段】情報トラック生成のためのＣＬＶ基本クロック列における周波数を、（ω０×Ｒ０＋Ｐ×ω０２×ｎ×Ｔｎ／（２×π））／（ＬＣＢ）（ただし、ｎ＝０，１，２，３，………、ω０；ターンテーブルの回転角速度、Ｒ０；露光開始半径位置、Ｐ；トラックピッチ、Ｔｎ；周波数更新の任意時間間隔、ｎ；露光開始からのフォーマッタ駆動クロック更新回数、ＬＣＢ；形成されるＣＬＶ情報トラック上の基本長）なる関係式に従って生成する。【選択図】　　図１
2004095091.tif 000002
【特許請求の範囲】
【請求項１】
光ディスク原盤露光装置あるいは光ディスクドライブ装置において、ターンテーブルに載置されてＣＡＶ駆動される光ディスク原盤あるいは光ディスクメディア上にＣＬＶフォーマットの情報トラックを形成する際に用いられる情報クロックの生成方法であって、
情報トラック生成のためのＣＬＶ基本クロック列における周波数を、
（ω０×Ｒ０＋Ｐ×ω０２×ｎ×Ｔｎ／（２×π））／（ＬＣＢ）
（ただし、ｎ＝０，１，２，３，………、ω０；ターンテーブルの回転角速度、Ｒ０；露光開始半径位置、Ｐ；トラックピッチ、Ｔｎ；周波数更新の任意時間間隔、ｎ；露光開始からのフォーマッタ駆動クロック更新回数、ＬＣＢ；形成されるＣＬＶ情報トラック上の基本長）
なる関係式に従って生成することを特徴とする情報クロックの生成方法。
【請求項２】
ＣＡＶ駆動で回転駆動されるターンテーブルの回転変動に応じて、個々のクロック発生時刻を補正することを特徴とする請求項１記載の情報クロックの生成方法。
【請求項３】
光ディスク原盤露光装置あるいは光ディスクドライブ装置に搭載され、ターンテーブルに載置されてＣＡＶ駆動される光ディスク原盤あるいは光ディスクメディア上にＣＬＶフォーマットの情報トラックを形成する際に用いられる情報クロックの生成装置であって、
情報トラック生成のためのＣＬＶ基本クロック列における周波数を、
（ω０×Ｒ０＋Ｐ×ω０２×ｎ×Ｔｎ／（２×π））／（ＬＣＢ）
（ただし、ｎ＝０，１，２，３，………、ω０；ターンテーブルの回転角速度、Ｒ０；露光開始半径位置、Ｐ；トラックピッチ、Ｔｎ；周波数更新の任意時間間隔、ｎ；露光開始からのフォーマッタ駆動クロック更新回数、ＬＣＢ；形成されるＣＬＶ情報トラック上の基本長）
なる関係式に従って生成する生成手段を備えたことを特徴とする情報クロックの生成装置。
【請求項４】
ＣＡＶ駆動で回転駆動されるターンテーブルの回転変動に応じて、個々のクロック発生時刻を補正する手段を備えたことを特徴とする請求項３記載の情報クロックの生成装置。
【請求項５】
光ディスク原盤を搭載するターンテーブルと、ターンテーブルを回転させる回転駆動手段と、情報トラックとして搭載する情報記録信号に基づいて、記録用露光ビームを収束照射させる収束手段および照射手段と、光ディスク原盤を搭載した前記ターンテーブルを光ディスク原盤と平行な平面内で横移動させる横送り駆動手段、あるいは前記収束手段および前記照射手段を光ディスク原盤と平行な平面内で横移動させる横送り駆動手段を有し、前記回転駆動手段と前記横送り駆動手段の制御により、ＣＡＶ駆動露光を行う光ディスク原盤露光装置に用いられる光ディスク原盤露光方法であって、
光ディスク原盤上に線密度一定となるように請求項１または２記載の情報クロックの生成方法により生成されたＣＬＶ基本クロック列に従って情報トラック信号を出力させながら光ディスク原盤上に線速度一定フォーマットを形成することを特徴とする光ディスク原盤露光方法。
【請求項６】
光ディスク原盤を搭載するターンテーブルと、ターンテーブルを回転させる回転駆動手段と、情報トラックとして搭載する情報記録信号に基づいて、記録用露光ビームを収束照射させる収束手段および照射手段と、光ディスク原盤を搭載した前記ターンテーブルを光ディスク原盤と平行な平面内で横移動させる横送り駆動手段、あるいは前記収束手段および前記照射手段を光ディスク原盤と平行な平面内で横移動させる横送り駆動手段を有し、前記回転駆動手段と前記横送り駆動手段の制御により、ＣＡＶ駆動露光を行う光ディスク原盤露光装置のＣＬＶ多値記録方法であって、
ＣＡＶ駆動状態で、請求項１または２記載の情報クロックの生成方法により生成されたＣＬＶ基本クロック列位置を基準位置として複数の位相差を有する情報ピット形成によって多値情報の形成を行うことを特徴とするＣＬＶ多値記録方法。
【請求項７】
光ディスク原盤を搭載するターンテーブルと、このターンテーブルを回転させる回転駆動手段と、情報トラックとして搭載する情報記録信号に基づいて、記録用露光ビームを収束照射させる収束手段および照射手段と、光ディスク原盤を搭載した前記ターンテーブルを光ディスク原盤と平行な平面内で横移動させる横送り駆動手段、あるいは記録用露光ビームの前記収束手段および前記照射手段を光ディスク原盤と平行な平面内で横移動させる横送り駆動手段を有し、前記回転駆動手段と前記横送り駆動手段の制御により、光ディスク原盤上にＣＡＶで情報トラックを形成する光ディスク原盤露光装置において、
請求項１または２記載の情報クロックの生成方法により生成されたＣＬＶ基本クロック列位置を基準位置として複数の位相差を有する多値情報ピット形成可能とする多値情報生成回路を有するフォーマッタ手段を備えたことを特徴とする光ディスク原盤露光装置。
【請求項８】
光ディスクメディアを回転させる回転駆動手段と、情報トラックとして搭載する情報記録信号に基づいて、記録用露光ビームを収束照射させる収束手段および照射手段と、前記収束手段および前記照射手段を光ディスクメディアと平行な平面内で横移動させる横送り駆動手段を有し、前記回転駆動手段と前記横送り駆動手段の制御により、ＣＡＶ駆動記録する光ディスクドライブ装置のＣＬＶ多値記録方法であって、
ＣＡＶ駆動状態で、請求項１または２記載の情報クロックの生成方法により生成されたＣＬＶ基本クロック列位置を基準位置として複数の位相差を有する情報ピット形成によって多値情報の形成を行うことを特徴とする光ディスクドライブ装置のＣＬＶ多値記録方法。
【請求項９】
光ディスクメディアを回転させる回転駆動手段と、情報トラックとして搭載する情報記録信号に基づいて、記録用露光ビームを収束照射させる収束手段および照射手段と、前記収束手段および前記照射手段を光ディスクメディアと平行な平面内で横移動させる横送り駆動手段を有し、前記回転駆動手段と前記横送り駆動手段の制御により、ＣＡＶ駆動記録する光ディスクドライブ装置において、
ＣＡＶ駆動状態で、請求項１または２記載の情報クロックの生成方法により生成されたＣＬＶ基本クロック列位置を基準位置として複数の位相差を有する情報ピット形成によって多値情報の形成を行う手段を備え、ＣＬＶ多値記録を行うことを特徴とする光ディスクドライブ装置。
【請求項１０】
請求項９記載の光ディスクドライブ装置に用いられる光ディスクメディアにおけるフォーマットであって、光ディスクメディア上の情報トラックに沿って形成されているセクターが、ＣＬＶフォーマットの２値で形成されたヘッダー部とＣＬＶフォーマットの多値で形成されたデータ部から構成されていることを特徴とする光ディスクメディアにおけるフォーマット。
【請求項１１】
請求項９記載の光ディスクドライブ装置に用いられる光ディスクメディアにおけるフォーマットであって、光ディスクメディア上の情報トラックに沿って形成されているセクターが、ＣＡＶフォーマットの２値で形成されたヘッダー部とＣＬＶフォーマットの多値で形成されたデータ部から構成されていることを特徴とする光ディスクメディアにおけるフォーマット。
【請求項１２】
請求項１０または１１に記載された光ディスクメディアであって、ＣＡＶ駆動によって線密度一定に形成された多値情報トラックを有することを特徴とする光ディスクメディア。
【請求項１３】
請求項１０，１１または１２記載の光ディスクメディア上におけるＣＬＶフォーマットの多値情報の再生方法であって、ＣＡＶ駆動で回転駆動しながら、請求項１または２記載の情報クロックの生成方法により生成されたＣＬＶ基本クロック列を用いて再生することを特徴とするＣＬＶフォーマットの多値情報の再生方法。
【請求項１４】
請求項９記載の光ディスクドライブ装置と、請求項３または４記載の情報クロックの生成装置が搭載され、さらに光ディスクメディアの回転とピックアップの送りの駆動パルスを生成するＣＡＶ駆動パルスジェネレータと、多値化回路と、多値情報再生回路と、同期検出回路と、アドレス検出回路と、コントローラとを少なくとも具備し、多値情報の記録／再生を可能にしたことを特徴とする光ディスクドライブ装置。
【発明の詳細な説明】
【０００１】
【発明の属する技術分野】
本発明は、光ビームを用いて等線速等ピッチスパイラル情報トラックを有する光ディスク原盤製作を行う光ディスク原盤露光装置および光ディスクドライブ装置による情報トラックの記録／再生および光ディスクメディアに関連し、ＣＡＶ（Ｃｏｎｓｔａｎｔ　Ａｎｇｕｌａｒ　Ｖｅｌｏｃｉｔｙ；角速度一定）駆動状態で、ＣＬＶ（Ｃｏｎｓｔａｎｔ　Ｌｉｎｅａｒ　Ｖｅｌｏｃｉｔｙ；線速度一定）フォーマット搭載の光ディスク原盤を形成可能にする方法および装置に関連し、特にＣＬＶ情報トラックによる多値記録／再生方法および装置に関する。
【０００２】
【従来の技術】
近年、高画質動画像の記録，アクセス速度の速い大容量のストレージ媒体として、光ディスクメディアに対する大容量化の要望が高まっている。大容量化の方法としては、幾つかの方法があり、近接場光を用いて記録／再生用のビームスポット，トラックピッチ，ピット長などをさらに小さく形成する方法、あるいは記録層の多層化，記録情報の多値化などの方法が提案され、検討されている。
【０００３】
例えば、特許文献１には、ＣＬＶ方式の光ディスクをＣＡＶ方式で記録／再生し、高アクセスで高転送レートを実現する光情報記録再生装置および光情報記録再生方法が提案され、また、特許文献２には、ＣＡＶ駆動状態でのＣＬＶフォーマット露光方法について開示した光ディスク原盤露光方法およびその露光装置が提案されている。
【０００４】
さらに、特許文献３には、精度の高い多値記録を可能にする光記録再生方法および装置が提案され、特許文献４には、少ないエネルギで、高密度なオーバーライトを可能にするとともに、高密度記録のデータを正確に記録／再生することを可能にする光磁気記録方法、その記録装置およびその再生装置が提案され、また特許文献５には、多値の情報を精度よく記録して再生可能にする光学的情報再生方法、装置および光学的情報記録媒体が提案されている。
【０００５】
【特許文献１】
特開２０００−１１５２４号公報（第４〜５頁，図１）
【特許文献２】
特開平５−２３４１５２号公報（第３頁，図１）
【特許文献３】
特開２００１−１７６０７１号公報（第３頁，図１，図２）
【特許文献４】
特開平６−７６３９９号公報（第５頁，図１）
【特許文献５】
特開平８−２８７４６８号公報（第４〜５頁，図１３〜図１６）
【０００６】
【発明が解決しようとする課題】
従来、多値記録フォーマットは、記録密度の点（容量）から言えば線密度一定なＣＬＶディスクフォーマット（線速度一定；線密度一定）による情報トラックの方が有利である。しかしながら、その記録／再生のし易さからＣＡＶディスクフォーマット上で実現されている。
【０００７】
線密度一定な情報記録は、ＣＬＶ駆動状態における厳密に正確な位置への情報ピット配置の難しさから多値記録ピットの形成が困難である。ＣＡＶ駆動によるＣＬＶディスクフォーマット形成方法もあるが、それらは情報形成のためのクロックの生成がターンテーブルの回転情報に基づいて生成されるものであり、そのクロック精度は多値情報を形成するに十分ではない。
【０００８】
本発明は、従来の課題を解決し、ＣＡＶ駆動によるＣＬＶディスクフォーマットを光ディスク原盤あるいは光ディスクメデイア上に形成するための理想的な基本クロック列（仮想ＣＬＶＣＬＫ）を導入し、比較的安定した駆動状態を実現し易いＣＡＶ駆動状態で、光ディスクの情報トラック上に、線密度一定（ＣＬＶディスクフォーマット）な多値情報の記録／再生を行うことを可能にすることを目的とする。
【０００９】
【課題を解決するための手段】
前記目的を達成するため、請求項１に記載の発明は、光ディスク原盤露光装置あるいは光ディスクドライブ装置において、ターンテーブルに載置されてＣＡＶ駆動される光ディスク原盤あるいは光ディスクメディア上にＣＬＶフォーマットの情報トラックを形成する際に用いられる情報クロックの生成方法であって、情報トラック生成のためのＣＬＶ基本クロック列における周波数を、
（ω０×Ｒ０＋Ｐ×ω０２×ｎ×Ｔｎ／（２×π））／（ＬＣＢ）
（ただし、ｎ＝０，１，２，３，………、ω０；ターンテーブルの回転角速度、Ｒ０；露光開始半径位置、Ｐ；トラックピッチ、Ｔｎ；周波数更新の任意時間間隔、ｎ；露光開始からのフォーマッタ駆動クロック更新回数、ＬＣＢ；形成されるＣＬＶ情報トラック上の基本長）
なる関係式に従って生成することを特徴とし、この方法によって、前記関係式に従ったＣＬＶ基本クロック列（仮想ＣＬＶＣＬＫ）の周波数により情報クロック生成を行うことにより、ＣＡＶ駆動状態での線密度一定なＣＬＶフォーマット露光が可能になる。
【００１０】
請求項２に記載の発明は、請求項１記載の情報クロックの生成方法において、ＣＡＶ駆動で回転駆動されるターンテーブルの回転変動に応じて、個々のクロック発生時刻を補正することを特徴とし、この方法によって、情報トラック形成時の光ディスク原盤あるいは光ディスクメディアの回転変動に応じて仮想ＣＬＶＣＬＫのクロック発生位置を補正を行うため、ＣＡＶ駆動状態での、より高精密の線密度一定なＣＬＶフォーマット露光が可能になる。
【００１１】
請求項３に記載の発明は、光ディスク原盤露光装置あるいは光ディスクドライブ装置に搭載され、ターンテーブルに載置されてＣＡＶ駆動される光ディスク原盤あるいは光ディスクメディア上にＣＬＶフォーマットの情報トラックを形成する際に用いられる情報クロックの生成装置であって、情報トラック生成のためのＣＬＶ基本クロック列における周波数を、
（ω０×Ｒ０＋Ｐ×ω０２×ｎ×Ｔｎ／（２×π））／（ＬＣＢ）
（ただし、ｎ＝０，１，２，３，………、ω０；ターンテーブルの回転角速度、Ｒ０；露光開始半径位置、Ｐ；トラックピッチ、Ｔｎ；周波数更新の任意時間間隔、ｎ；露光開始からのフォーマッタ駆動クロック更新回数、ＬＣＢ；形成されるＣＬＶ情報トラック上の基本長）
なる関係式に従って生成する生成手段を備えたことを特徴とし、この装置により、請求項１に記載のＣＬＶフォーマット露光による光ディスク原盤露光あるいは光ディスクの記録が可能になる。
【００１２】
請求項４に記載の発明は、請求項３記載の情報クロックの生成装置において、ＣＡＶ駆動で回転駆動されるターンテーブルの回転変動に応じて、個々のクロック発生時刻を補正する手段を備えたことを特徴とし、この装置によって、ＣＡＶ駆動状態での、より高精密の線密度一定なＣＬＶフォーマット露光が可能になる。
【００１３】
請求項５に記載の発明は、光ディスク原盤を搭載するターンテーブルと、ターンテーブルを回転させる回転駆動手段と、情報トラックとして搭載する情報記録信号に基づいて、記録用露光ビームを収束照射させる収束手段および照射手段と、光ディスク原盤を搭載した前記ターンテーブルを光ディスク原盤と平行な平面内で横移動させる横送り駆動手段、あるいは前記収束手段および前記照射手段を光ディスク原盤と平行な平面内で横移動させる横送り駆動手段を有し、前記回転駆動手段と前記横送り駆動手段の制御により、ＣＡＶ駆動露光を行う光ディスク原盤露光装置に用いられる光ディスク原盤露光方法であって、光ディスク原盤上に線密度一定となるように請求項１または２記載の情報クロックの生成方法により生成されたＣＬＶ基本クロック列に従って情報トラック信号を出力させながら光ディスク原盤上に線速度一定フォーマットを形成することを特徴とし、この方法によって、安定したＣＡＶ駆動状態で仮想ＣＬＶＣＬＫを用いて露光を行うことができるため、光ディスク原盤上に形成されるＣＬＶディスクフォーマットとして形成される情報トラック（線密度一定な情報トラック）の物理的な配置をより理想的な配置とすることができる。
【００１４】
請求項６に記載の発明は、光ディスク原盤を搭載するターンテーブルと、ターンテーブルを回転させる回転駆動手段と、情報トラックとして搭載する情報記録信号に基づいて、記録用露光ビームを収束照射させる収束手段および照射手段と、光ディスク原盤を搭載した前記ターンテーブルを光ディスク原盤と平行な平面内で横移動させる横送り駆動手段、あるいは前記収束手段および前記照射手段を光ディスク原盤と平行な平面内で横移動させる横送り駆動手段を有し、前記回転駆動手段と前記横送り駆動手段の制御により、ＣＡＶ駆動露光を行う光ディスク原盤露光装置のＣＬＶ多値記録方法であって、ＣＡＶ駆動状態で、請求項１または２記載の情報クロックの生成方法により生成されたＣＬＶ基本クロック列位置を基準位置として複数の位相差を有する情報ピット形成によって多値情報の形成を行うことを特徴とし、この方法によって、光ディスク原盤露光装置において線密度一定な多値情報を含んだ情報トラック搭載した光ディスク原盤を製作することを可能にする。
【００１５】
請求項７に記載の発明は、光ディスク原盤を搭載するターンテーブルと、このターンテーブルを回転させる回転駆動手段と、情報トラックとして搭載する情報記録信号に基づいて、記録用露光ビームを収束照射させる収束手段および照射手段と、光ディスク原盤を搭載した前記ターンテーブルを光ディスク原盤と平行な平面内で横移動させる横送り駆動手段、あるいは記録用露光ビームの前記収束手段および前記照射手段を光ディスク原盤と平行な平面内で横移動させる横送り駆動手段を有し、前記回転駆動手段と前記横送り駆動手段の制御により、光ディスク原盤上にＣＡＶで情報トラックを形成する光ディスク原盤露光装置において、請求項１または２記載の情報クロックの生成方法により生成されたＣＬＶ基本クロック列位置を基準位置として複数の位相差を有する多値情報ピット形成可能とする多値情報生成回路を有するフォーマッタ手段を備えたことを特徴とし、この装置によって、線密度一定な多値情報を含んだ情報トラック搭載した光ディスク原盤を製作することができる。
【００１６】
請求項８に記載の発明は、光ディスクメディアを回転させる回転駆動手段と、情報トラックとして搭載する情報記録信号に基づいて、記録用露光ビームを収束照射させる収束手段および照射手段と、前記収束手段および前記照射手段を光ディスクメディアと平行な平面内で横移動させる横送り駆動手段を有し、前記回転駆動手段と前記横送り駆動手段の制御により、ＣＡＶ駆動記録する光ディスクドライブ装置のＣＬＶ多値記録方法であって、ＣＡＶ駆動状態で、請求項１または２記載の情報クロックの生成方法により生成されたＣＬＶ基本クロック列位置を基準位置として複数の位相差を有する情報ピット形成によって多値情報の形成を行うことを特徴とし、この方法によって、ＣＬＶディスクフォーマット上に線密度一定な情報トラックが形成されるため、光ディスクドライブ装置において光ディスクメディアに対して無駄の無い大容量の記録を行うことが可能になる。
【００１７】
請求項９に記載の発明は、光ディスクメディアを回転させる回転駆動手段と、情報トラックとして搭載する情報記録信号に基づいて、記録用露光ビームを収束照射させる収束手段および照射手段と、前記収束手段および前記照射手段を光ディスクメディアと平行な平面内で横移動させる横送り駆動手段を有し、前記回転駆動手段と前記横送り駆動手段の制御により、ＣＡＶ駆動記録する光ディスクドライブ装置において、ＣＡＶ駆動状態で、請求項１または２記載の情報クロックの生成方法により生成されたＣＬＶ基本クロック列位置を基準位置として複数の位相差を有する情報ピット形成によって多値情報の形成を行う手段を備え、ＣＬＶ多値記録を行うことを特徴とし、この装置によって、ＣＬＶディスクフォーマット上に線密度一定な情報トラックが形成されるため、光ディスクメディアに無駄の無い大容量の記録を行うことができる。
【００１８】
請求項１０に記載の発明は、請求項９記載の光ディスクドライブ装置に用いられる光ディスクメディアにおけるフォーマットであって、光ディスクメディア上の情報トラックに沿って形成されているセクターが、ＣＬＶフォーマットの２値で形成されたヘッダー部とＣＬＶフォーマットの多値で形成されたデータ部から構成されていることを特徴とし、この構成によって、情報トラックに沿って形成されるセクタ構成において、セクタアドレス情報などを記述したヘッダ部データをＣＬＶディスクフォーマット（線密度一定）の２値情報として形成しているので、セクタの特定が従来のＣＬＶディスクフォーマット搭載の光ディスクメディアのＣＡＶ駆動再生と同じ方法で実現することができる。
【００１９】
請求項１１に記載の発明は、請求項９記載の光ディスクドライブ装置に用いられる光ディスクメディアにおけるフォーマットであって、光ディスクメディア上の情報トラックに沿って形成されているセクターが、ＣＡＶフォーマットの２値で形成されたヘッダー部とＣＬＶフォーマットの多値で形成されたデータ部から構成されていることを特徴とし、この構成によって、情報トラックに沿って形勢されるセクタ構成において、セクタアドレス情報などを記述したヘッダ部データをＣＡＶディスクフォーマットの２値情報として形成しているので、セクタの特定が従来のＣＡＶディスクフォーマット搭載メディアのＣＡＶ駆動再生と同じ方法で実現することができる。
【００２０】
請求項１２に記載の発明は、請求項１０または１１に記載された光ディスクメディアであって、ＣＡＶ駆動によって線密度一定に形成された多値情報トラックを有することを特徴とし、この構成によって、線密度一定な多値情報トラックを搭載しているので、無駄の無い大容量の光ディスクメディアが実現する。
【００２１】
請求項１３に記載の発明は、請求項１０，１１または１２記載の光ディスクメディア上におけるＣＬＶフォーマットの多値情報の再生方法であって、ＣＡＶ駆動で回転駆動しながら、請求項１または２記載の情報クロックの生成方法により生成されたＣＬＶ基本クロック列を用いて再生することを特徴とし、この方法によって、安定したＣＡＶ駆動状態の光ディスクメディアから仮想ＣＬＶＣＬＫを用いて多値情報再生を行うことにより、光ディスクメディア上に形成された線密度一定な多値情報の再生をすることができる。
【００２２】
請求項１４に記載の発明は、請求項９記載の光ディスクドライブ装置と、請求項３または４記載の情報クロックの生成装置が搭載され、さらに光ディスクメディアの回転とピックアップの送りの駆動パルスを生成するＣＡＶ駆動パルスジェネレータと、多値化回路と、多値情報再生回路と、同期検出回路と、アドレス検出回路と、コントローラとを少なくとも具備し、多値情報の記録／再生を可能にしたことを特徴とし、この構成によって、線密度一定な多値情報の記録／再生を行うことができる。
【００２３】
【発明の実施の形態】
以下、本発明の好適な実施形態について図面を参照しながら説明する。
【００２４】
図１は本発明に係る光ディスク原盤露光装置の実施形態における構成を説明するためのブロック図であり、１はフォトレジストを塗布した光ディスク原盤であるガラス原盤５を露光するための露光レーザ、２は、露光レーザ１から出射されたレーザ光を整形し、収束手段であるフォーカスアクチュエータ４へ露光レーザ光を導く照射手段である光学系であって、フォーカスアクチュエータ４は、入射した露光レーザ光を露光スポットに集光させ、そのビームウエスト位置をフォトレジスト位置に保つように絶えずフォーカス制御する。３は、光変調器であって、ガラス原盤５上にプリエンボスピットやグルーブを形成する信号を発生させるフォーマット信号発生器（多重情報生成回路を含む）であるフォーマッタ１５からの信号Ｆｏｕｔに基づいて露光レーザ光をｏｎ／ｏｆｆする。また、１６はフォーマッタ１５を駆動するための基本クロックを発生する基本クロック発生器である。
【００２５】
ガラス原盤５は回転駆動手段であるターンテーブル回転モータ６により駆動されるターンテーブルＴに吸着されて回転させられる。これと同時に、フォーカスアクチュエータ４は横送り駆動手段であるエアスライダ８によってガラス原盤５の半径方向に移動させられる。また７は、ターンテーブル回転モータ６に設けられて、回転に応じパルス列を出力するエンコーダ、１４は露光スポットのガラス原盤５における半径位置を検出するためのリニアエンコーダである。９，１１はエアスライダ８，ターンテーブルＴを駆動するためのドライバ、１０，１２は駆動系コントローラ１３によって指示される移動／回転指令に対して滑らかに、そして精度良くエアスライダ８，ターンテーブルＴを追従させるための制御回路である。
【００２６】
また、１６は基本クロック発生器、１７はターンテーブル回転指令パルス生成回路、１８は横送り駆動指令パルス生成回路、１９は後述するＣＬＶＣＬＫ生成装置である。
【００２７】
また、図中のＳＰｅｎｃはターンテーブルエンコーダ出力パルス、ＳＬｅｎｃはリニアエンコーダ出力パルス、ＣＬＫはフォーマッタ基本クロック、Ｆｇｏはフォーマッタスタート信号、Ｆｏｕｔはフォーマット信号出力をそれぞれ示す。
【００２８】
なお、図１において、リニアエンコーダ１４の値をプリセットするための絶対位置を検出するためのセンサは省略してある。また、光ディスク原盤露光装置としては、各種ディスクフォーマットに対応して、２ビーム露光あるいは露光ビームの蛇行等々の設定が必要になるが、それらに要する各種露光光学系等は本発明に直接関係しないので省略した。
【００２９】
また、本例では横送り駆動手段であるエアスライダ８により、フォーカスアクチュエータ４と露光光学系２とをガラス原盤５に対して平行な平面内で横移動させるようにしているが、ガラス原盤５を搭載したターンテーブルＴを、該ガラス原盤５と平行な平面内で横移動させる横送り駆動手段を採用することも考えられる。
【００３０】
本実施形態において、ガラス原盤５上に、等ピッチスパイラル情報トラックに沿って情報形成の基本長ＬＣＢを想定した場合、式（数１）が成り立つ。
【００３１】
【数１】
ｒ×ω×Ｔｆ＝ＬＣＢ
また、ＣＡＶ駆動においては式（数２）が成立する。
【００３２】
【数２】
ｒ＝Ｒ０＋Ｖｓ×ｔ
ここで、ｒは半径位置、ωはターンテーブルＴの回転角速度、Ｔｆは情報トラックの基本長ＬＣＢを形成するに要する時間間隔、Ｒ０は等ピッチスパイラル情報トラック開始半径、ＶＳはターンテーブルＴあるいは露光光学系２を横へ移動させる送り速度、ｔは露光開始からの経過時間である。
【００３３】
式（数１）において、「ｒ×ω」は線速に相当する。「ｒ×ω＝ＶＬ（一定）」となるように回転角速度および送り速度を変化させることによって、線速一定（線密度一定）のＣＬＶディスクフォーマットを形成することができる。
【００３４】
ＣＡＶ駆動によって、線密度一定のＣＬＶディスクフォーマットを形成するには、式（数１），（数２）において、ω＝ω０＝（一定）、ＶＳ＝ＶＳ０＝（一定）として、Ｔｆを変化させることによって、情報トラックの基本長ＬＣＢを一定長に形成することができる。
【００３５】
式（数１），（数２）から式（数３），（数４）となる。
【００３６】
【数３】
Ｆｆ＝１／Ｔｆ＝（（Ｒ０＋ＶＳ０×ｔ）×ω０）／ＬＣＢ
【００３７】
【数４】
ＶＳ０＝Ｐ×ω０／（２×π）
式（数３），（数４）から式（数５）となる。
【００３８】
【数５】
Ｆｆ＝ω０×（Ｒ０＋Ｐ×ω０×ｔ／（２×π））／ＬＣＢ
ここで、ｔが連続値になっているが、微少時間間隔Ｔｎを用いると、露光開始からの経過時間ｔは式（数６）のようになる。
【００３９】
【数６】
ｔ＝ｎ×Ｔｎ（ただし、ｎ＝１，２，３，………）
そして、Ｔｎ時間間隔ごとの周波数Ｆｆｎの更新を行うようにすると、式（数７）に示す関係式が成立する。
【００４０】
【数７】
Ｆｆｎ＝（ω０×Ｒ０＋Ｐ×ω０２×ｎ×Ｔｎ／（２×π））／ＬＣＢ
時間Ｔｎを十分に小さく設定することにより、ＣＡＶ駆動状態で線密度一定なＣＬＶディスクフォーマットの情報トラック露光が可能となる。また、これによって図２に示す周波数の更新状態を示す説明図のように、後述する多値記録および再生の際の仮想ＣＬＶＣＬＫとして十分な精度のクロックを生成することができる。
【００４１】
図３は本実施形態におけるパルスジェネレータシステムの基本構成図であって、パルスジェネレータシステムは、基本クロック（ＣＬＫ）を受けるターンテーブル回転指令パルス生成回路１７と、横送り駆動指令パルス生成回路１８と、フォーマッタ駆動パルス生成回路２０とから構成され、それぞれターンテーブル回転駆動指令パルス（ＴＣＬＫ），横送り駆動指令パルス（ＳＣＬＫ）、およびフォーマッタ駆動パルス列（ＦＣＬＫ；仮想ＣＬＶＣＬＫ）を生成するものであり、時間Ｔｎを、ＴＣＬＫパルスあるいはＳＣＬＫパルス、あるいはこれらのパルスの逓倍パルスを用いて生成する（ＣＡＶ駆動であるからＴＣＬＫパルスあるいはＳＣＬＫパルス、あるいはこれらのパルスの逓倍パルスの周期は一定である）。
【００４２】
これら各パルスの時間軸に沿った配置は、理想的なＣＬＶフォーマット情報トラック形成に対し、誤差を無視できるほどに小さくすることが比較的容易に可能である。実際に、光ディスク原盤上に形成されるＣＬＶディスクフォーマットの情報トラックにおいて問題となってくる変動成分は、ターンテーブル駆動系，横送り駆動系の駆動誤差に伴う変動が主となる。
【００４３】
上述したように、各駆動指令パルスおよび仮想ＣＬＶＣＬＫは時間軸に沿って理想的に生成することが可能である。駆動系においても、ＣＡＶ駆動では安定した駆動特性を得やすいが、微少に観れば回転速度変動が存在する。この回転変動を検出して仮想ＣＬＶＣＬＫのクロック発生時間に補正を加えることにより、ガラス原盤５上に、正確に線密度一定な情報トラックの形成ができる。
【００４４】
図４は本実施形態における仮想ＣＬＶＣＬＫのターンテーブルの回転変動に対する補正回路の構成例の説明図であり、仮想ＣＬＶＣＬＫは、遅延回路２１によって微少間隔に遅延された複数の仮想ＣＬＶＣＬＫに変換されて、パルス選択回路２２に出力される。パルス位置補正情報生成回路２３では、パルス選択回路２２にパルス選択情報を出力して、回転誤差情報に応じて微少遅延された複数の仮想ＣＬＶＣＬＫから、時間軸に沿った最も理想的な発生位置の仮想ＣＬＶＣＬＫを選択して、回転誤差に対して補正された仮想ＣＬＶＣＬＫを出力させる。
【００４５】
図５は時間軸に沿って理想的に配置される回転駆動指令パルス列（ａ）と回転誤差である駆動フィードバックパルス（ｂ）との関係を示す図であり、駆動フィードバックパルスには、例えばターンテーブルＴに取り付けられるエンコーダ７からの信号が用いられる。図５において、ΔＴ，ΔＴ’が回転誤差に相当して前記回転変動情報となる。
【００４６】
そして、図１に示すように、ターンテーブル回転モータ６とエアスライダ８との制御によりＣＡＶ（角速度一定）駆動露光する光ディスク原盤露光装置では、上述のような仮想ＣＬＶＣＬＫを用いて情報トラックを露光することにより、線密度一定なＣＬＶディスクフォーマットを形成することが可能になる。
【００４７】
図６は仮想ＣＬＶＣＬＫ位置を基準位置として不連続な位相差を有する線密度一定な多値情報の形成パルス例を示す説明図であり、多値情報信号は、仮想ＣＬＶＣＬＫを基準として、時間軸の＋方向及び−方向にΔＴＭだけ時間シフトした位置に形成し、仮想ＣＬＶＣＬＫに対する時間差（位相差）によって多値情報とする。ＣＡＶ駆動による露光により、仮想ＣＬＶＣＬＫの周期は、半径位置に応じて変化し、位相差を形成する。ΔＴＭは一定であってもよいし、情報トラック位置に応じて変えてもよい。
【００４８】
また前記のようにして、多値化された情報を搭載した光ディスクメディアからの情報の再生は、記録の際と同じように、光ディスクメディアをＣＡＶ駆動させ仮想ＣＬＶＣＬＫを用い、この仮想ＣＬＶＣＬＫ位置と搭載情報の位相差情報を抽出することによって行う。
【００４９】
仮想ＣＬＶＣＬＫの周波数設定には、現在のアドレス位置（ディスク半径位置）の特定が必要となるが、多値データを追記する場合、あるいは、任意アドレスの情報の読み出しには、ＣＤあるいはＤＶＤ系の追記あるいは書き換えメディアにおいて採用されている読み出し方法、すなわち、予め情報トラックの蛇行による周波数変調によるアドレス情報、あるいは位相変調によるアドレス情報として形成されている情報を用いることによる読み出しによって行うことができる。また、仮想ＣＬＶＣＬＫと再生される多値情報信号との位相合わせは、予め多値情報トラック中に形成さた同期パターンの検出によって行うことができる。
【００５０】
図７は本実施形態の光ディスクメディアにおける情報トラックのセクタ構成を示す説明図であり、セクタのアドレス情報などを記載したヘッダ部は、２値記録のＣＬＶフォ−マットで記録されている。
【００５１】
この場合、任意セクタへのアクセス時には、従来より行われているＣＬＶディスクフォーマットメディアのＣＡＶ駆動再生と同じように行うことができる。セクタ番号の特定後、仮想ＣＬＶＣＬＫの設定出力を行ってＣＬＶフォーマットで形成された多値情報の再生を行う。
【００５２】
図８は本実施形態の光ディスクメディアにおける情報トラックのセクタ構成の他例を示す説明図であり、セクタのアドレス情報などを記載したヘッダ部は、２値記録のＣＡＶフォーマットで記録されている。
【００５３】
この場合、任意セクタへのアクセス時には、従来より行われているＣＡＶディスクフォーマットメディアのＣＡＶ駆動再生と同じように行うことができる。セクタ番号の特定後、仮想ＣＬＶＣＬＫの設定出力を行ってＣＬＶフォーマットで形成された多値情報の再生を行う。
【００５４】
個々で、図１に示す光ディスク原盤露光装置におけるＣＡＶ駆動について説明する。既述した方法によりターンテーブル回転駆動指令パルス列、および横送り駆動指令パルスが、ターンテーブル回転指令パルス生成回路１７、および横送り駆動指令パルス生成回路１８によって生成される。仮想ＣＬＶＣＬＫ生成装置１９では、前記式（数７）に従って仮想ＣＬＶＣＬＫ（フォーマッタ駆動クロックＦｆｎを生成する。フォーマッタ（多値情報生成回路含む）１５により、仮想ＣＬＶＣＬＫを基準とした多値情報が生成される。仮想ＣＬＶＣＬＫは、ターンテーブル回転駆動指令パルスの逓倍パルス信号に同期して更新されるようにしてもよい。
【００５５】
また、仮想ＣＬＶＣＬＫの生成方法としては、ターンテーブル回転駆動制御回路１２から回転誤差情報を取り出し、仮想ＣＬＶＣＬＫ生成装置１９へフィードバックして、回転誤差を補正した仮想ＣＬＶＣＬＫを用いた露光を行うようにしてもよい。
【００５６】
本光ディスク原盤露光装置によって、ＣＡＶ駆動を行い、仮想ＣＬＶＣＬＫの生成装置によって、式（数７）に従ってフォーマッタ駆動クロックＦｆｎを生成し、このフォーマッタ駆動クロックＦｆｎを基準とした多値情報を生成することにより、ＣＡＶ駆動での線密度一定（ＣＬＶディスクフォーマット）な多値情報を搭載した大容量な光ディスク原盤の製作が可能となる。
【００５７】
図９は本発明に係る光ディスクドライブ装置の実施形態における記録／再生制御系の要部の構成図であって、フォーカス系，トラッキング系，書き込み系，駆動系などの本発明に直接関係しない部分の図示は省略しているが、基本的には公知の光ディスクドライブ装置と同様に光ピックアップを主体とした構成である。
【００５８】
本光ディスクドライブ装置は、光ディスクメディアの回転と光ピックアップの送りの駆動パルスを生成するＣＡＶ駆動パルスジェネレータ２５と、仮想ＣＬＶＣＬＫ生成回路２６と、多値化回路２７と、多値情報再生回路２８と、同期検出回路・アドレス検出回路２９と、コントローラ３０などから構成されている。
【００５９】
記録時には、既述したようなアドレス情報に応じて光ピックアップからの再生信号によりアドレス情報を抽出し、光ピックアップを目標セクタ上へ移動させる。コントローラ３０は光ディスクメディアをＣＡＶ駆動させ、記録セクタ位置相当の仮想ＣＬＶＣＬＫを仮想ＣＬＶＣＬＫ生成回路２６によって生成させ、この仮想ＣＬＶＣＬＫを基準位置とした多値情報を多値化回路２７で生成して記録を行う。データ記録中は仮想ＣＬＶＣＬＫ周波数は絶えず更新される。
【００６０】
再生時には、アドレス情報に応じて光ピックアップからの再生信号からアドレス情報を抽出し、ピックアップを目標セクタ上へ移動させる。コントローラ３０は光ディスクメディアをＣＡＶ駆動させ、再生セクタ位置相当の仮想ＣＬＶＣＬＫを仮想ＣＬＶＣＬＫ生成回路２６によって生成させ、この仮想ＣＬＶＣＬＫを基準位置として多値情報再生回路２８によって多値情報の再生を行う（多値情報の再生時には同期検出回路から得られる同期信号によって、仮想ＣＬＶＣＬＫと再生信号の同期が取られる）。再生時も、データ再生中は仮想ＣＬＶＣＬＫ周波数は絶えず更新される。
【００６１】
ガラス原盤，光ディスクメデイアなどの情報記録媒体において、情報トラックに線密度一定（ＣＬＶディスクフォーマット）な多値情報を含むことによって、前記光ディスク原盤露光装置あるいは前記光ディスクドライブ装置によって、情報の記録あるいは再生を行うことが可能になる。
【００６２】
【発明の効果】
以上説明したように、本発明によれば、情報トラック生成のためのＣＬＶ基本クロック列における周波数を、前記式（数７）の関係式に従って生成することにより、ＣＡＶ駆動状態での線密度一定なＣＬＶフォーマット露光が実現する。
【図面の簡単な説明】
【図１】本発明に係る光ディスク原盤露光装置の実施形態における構成を説明するためのブロック図
【図２】本実施形態における周波数の更新状態の説明図
【図３】本実施形態におけるパルスジェネレーションシステムの基本構成図
【図４】本実施形態における仮想ＣＬＶＣＬＫのターンテーブルの回転変動に対する補正回路の構成例の説明図
【図５】本実施形態に係る時間軸に沿って理想的に配置される回転駆動指令パルス列と回転誤差である駆動フィードバックパルスとの関係を示す図
【図６】本実施形態における仮想ＣＬＶＣＬＫ位置を基準として不連続な位相差を有する線密度一定な多重情報の形成パルス列を示す説明図
【図７】本実施形態の光ディスクにおける情報トラックのセクタ構成を示す説明図
【図８】本実施形態の光ディスクにおける情報トラックのセクタ構成の他例を示す説明図
【図９】本発明に係る光ディスクドライブ装置の実施形態における記録／再生制御系の要部の構成図
【符号の説明】
２　露光光学系
４　フォーカスアクチュエータ
５　ガラス原盤
Ｔ　ターンテーブル
６　ターンテーブル回転モータ
７　エンコーダ
８　エアスライダ
１０　スライダ制御回路
１２　ターンテーブル回転駆動制御回路
１３　駆動系コントローラ
１４　リニアエンコーダ
１５　フォーマット信号発生器
１６　基本クロック発生器
１７　ターンテーブル回転指令パルス生成回路
１８　横送り駆動指令パルス生成回路
１９　仮想ＣＬＶＣＬＫ生成装置
２０　フォーマッタ駆動パルス生成回路
２１　遅延回路
２２　パルス選択回路
２３　パルス位置補正情報生成回路
２５　ＣＡＶ駆動パルスジェネレータ
２６　仮想ＣＬＶＣＬＫ生成回路
２７　多重化回路
２８　多重情報再生回路
２９　同期検出回路・アドレス検出回路
【図１】
2004095091.tif 000003
【図２】
2004095091.tif 000004
【図３】
2004095091.tif 000005
【図４】
2004095091.tif 000006
【図５】
2004095091.tif 000007
【図６】
2004095091.tif 000008
【図７】
2004095091.tif 000009
【図８】
2004095091.tif 000010
【図９】
2004095091.tif 000011